(57)【要約】【課題】ケーブル側コネクタが容易に外れることを抑制できる治具を提供する。【解決手段】先端部１４には、上下方向に直交する方向において開口Ｏ１が形成されている収納空間ＳＰであって、Ｌ型同軸コネクタ１００が収納される収納空間ＳＰが設けられている。ピン２４は、ばねの弾性力により、Ｌ型同軸コネクタ１００に対して押し付けられてＬ型同軸コネクタ１００を収納空間ＳＰの下面Ｓ２に押し付けている。Ｌ型同軸コネクタ１００は、開口Ｏ１を介して収納空間ＳＰに出し入れされる。【選択図】図８
2010267581.tif 000002
【特許請求の範囲】
【請求項１】
下側に押さえつけてケーブル側コネクタを基板側コネクタに取り付ける際、又は、上側に引き上げて該ケーブル側コネクタを該基板側コネクタから取り外す際に用いられる治具であって、
上下方向に直交する方向において開口が形成されている収納空間であって、前記ケーブル側コネクタが収納される収納空間が設けられている本体と、
弾性体と、
前記弾性体の弾性力により、前記ケーブル側コネクタに対して押し付けられて該ケーブル側コネクタを前記収納空間の内周面に押し付ける押圧部材と、
を備え、
前記ケーブル側コネクタは、前記開口を介して前記収納空間に出し入れされること、
を特徴とする治具。
【請求項２】
前記収納空間は、上面及び下面を有しており、
前記押圧部材は、前記ケーブル側コネクタを前記下面に対して押し付けること、
を特徴とする請求項１に記載の治具。
【請求項３】
前記押圧部材において、前記ケーブル側コネクタと接触する部分は、球面をなしていること、
を特徴とする請求項１又は請求項２のいずれかに記載の治具。
【請求項４】
前記押圧部材は、球状であること、
を特徴とする請求項１又は請求項２のいずれかに記載の治具。
【発明の詳細な説明】
【技術分野】
【０００１】
本発明は、治具に関し、より特定的には、ケーブル側コネクタを基板側コネクタに着脱する際に用いられる治具に関する。
【背景技術】
【０００２】
ケーブル側コネクタを基板側コネクタに着脱する際に用いられる治具としては、例えば、特許文献１に記載のコネクタ挿抜用治具が知られている。以下に、図面を参照しながら該コネクタ挿抜用治具について説明する。図１３（ａ）は、特許文献１に記載のコネクタ挿抜用治具５００の構成図である。図１３（ｂ）は、ケーブル側コネクタ６００が装着されたときのコネクタ挿抜用治具５００の先端部分の拡大図である。
【０００３】
コネクタ挿抜用治具５００は、図１３（ａ）に示すように、棒状部材により構成されている。コネクタ挿抜用治具５００の先端には、凹部５０４が形成されている。更に、コネクタ挿抜用治具５００の先端には、図１３（ａ）に示すように、凹部５０４の内側に向かって折り返されて形成されている引っ掛け部５０６が設けられている。
【０００４】
以上のようなコネクタ挿抜用治具５００が使用される際には、図１３（ｂ）に示すように、基板側コネクタ６０２に装着されているケーブル側コネクタ６００を、凹部５０４内に収納する。そして、コネクタ挿抜用治具５００を引き上げる。この際、引っ掛け部５０６が、ケーブル側コネクタ６００に引っ掛かり、該ケーブル側コネクタ６００が上側に引き上げられる。その結果、ケーブル側コネクタ６００は、基板側コネクタ６０２から外れる。
【０００５】
ところで、特許文献１に記載のコネクタ挿抜用治具５００では、ケーブル側コネクタ６００が該コネクタ挿抜用治具５００から容易に外れてしまうという問題があった。より詳細には、コネクタ挿抜用治具５００の凹部５０４には、ケーブル側コネクタ６００が収納されるので、該凹部５０４は、該ケーブル側コネクタ６００よりも大きく形成される必要がある。そのため、コネクタ挿抜用治具５００とケーブル側コネクタ６００との間にガタツキが発生するおそれがある。その結果、ケーブル側コネクタ６００がコネクタ挿抜用治具５００から容易に外れてしまい、作業効率が低下してしまうおそれがある。
【先行技術文献】
【特許文献】
【０００６】
【特許文献１】特開２００４−２２１８１号公報
【発明の概要】
【発明が解決しようとする課題】
【０００７】
そこで、本発明の目的は、ケーブル側コネクタが容易に外れることを抑制できる治具を提供する。
【課題を解決するための手段】
【０００８】
本発明の一形態に係る治具は、下側に押さえつけてケーブル側コネクタを基板側コネクタに取り付ける際、又は、上側に引き上げて該ケーブル側コネクタを該基板側コネクタから取り外す際に用いられる治具であって、上下方向に直交する方向において開口が形成されている収納空間であって、前記ケーブル側コネクタが収納される収納空間が設けられている本体と、弾性体と、前記弾性体の弾性力により、前記ケーブル側コネクタに対して押し付けられて該ケーブル側コネクタを前記収納空間の内周面に押し付ける押圧部材と、を備え、前記ケーブル側コネクタは、前記開口を介して前記収納空間に出し入れされること、を特徴とする。
【発明の効果】
【０００９】
本発明によれば、ケーブル側コネクタが容易に外れることを抑制できる。
【図面の簡単な説明】
【００１０】
【図１】Ｌ型同軸コネクタ及びレセプタクルの断面構造図である。
【図２】実施形態に係る治具を示した図である。
【図３】第１の実施形態に係る治具の先端部の斜視図である。
【図４】図２に示す治具の先端部の分解斜視図である。
【図５】治具を構成している第２部材の斜視図である。
【図６】先端部の先端近傍を前側から平面視した図である。
【図７】Ｌ型同軸コネクタが治具に取り付けられた状態を示した外観斜視図である。
【図８】Ｌ型同軸コネクタが取り付けられた状態における先端部の先端近傍を前側から平面視した図である。
【図９】第２の実施形態に係る治具の先端部の分解斜視図である。
【図１０】治具を構成している第２部材の斜視図である。
【図１１】第３の実施形態に係る治具の先端部の分解斜視図である。
【図１２】図１１のＬ型同軸コネクタが治具に取り付けられた状態を示した外観斜視図である。
【図１３】図１３（ａ）は、特許文献１に記載のコネクタ挿抜用治具の構成図である。図１３（ｂ）は、ケーブル側コネクタが装着されたときのコネクタ挿抜用治具の先端部分の拡大図である。
【発明を実施するための形態】
【００１１】
以下に、本発明の実施形態に係る治具の構成について図面を参照しながら説明する。
【００１２】
（コネクタの構成）
まず、本発明に係る治具により着脱されるコネクタの構成について図面を参照しながら説明する。図１は、Ｌ型同軸コネクタ１００及びレセプタクル２３０の断面構造図である。なお、図１における鉛直方向を上下方向と定義し、水平方向を前後方向と定義する。
【００１３】
Ｌ型同軸コネクタ（ケーブル側コネクタ）１００は、図１に示すように、ハウジング１１２、ブッシング１１４、ソケット１１６により構成されている。また、Ｌ型同軸コネクタ１００には、同軸ケーブル２２０が接続されている。
【００１４】
同軸ケーブル２２０は、絶縁膜２２１、外導体２２２、絶縁膜２２３及び中心導体２２４により構成されている。外導体２２２と中心導体２２４とは、絶縁膜２２３により絶縁されている。また、絶縁膜２２１は、外導体２２２の周囲を覆っている。
【００１５】
ハウジング１１２は、下側に開口を有する円筒形状をなしており、導電性材料（例えば、りん青銅）により作製されている。該ハウジング１１２は、同軸ケーブル２２０の外導体２２２に対して接続されている。
【００１６】
ソケット１１６は、円筒形状のハウジング１１２の中心において、上下方向に延在していると共に、Ｌ字型に曲げられて、ハウジング１１２の中心から後側に向かって延在している。該ソケット１１６は、導電性材料（例えば、りん青銅）により作製されており、同軸ケーブル２２０の中心導体２２４に対して接続されている。
【００１７】
ブッシング１１４は、絶縁性材料（例えば、液晶ポリマー）により作製されており、ハウジング１１２内に設けられて、該ハウジング１１２とソケット１１６とを絶縁している。
【００１８】
レセプタクル２３０（基板側コネクタ）は、回路基板上に実装され、外部導体２３２及び中心導体２３４により構成されている。外部導体２３２は、ハウジング１１２の内径と同等の大きさの外径を有する円筒形状をなしており、上側に開口を有している。該外部導体２３２は、導電性材料（例えば、りん青銅）により作製されている。中心導体２３４は、円筒形状の外部導体２３２の中心において、上下方向に延在する細い円筒であり、導電性材料（例えば、りん青銅）により作製されている。
【００１９】
Ｌ型同軸コネクタ１００をレセプタクル２３０に取り付ける際には、図１（ａ）に示すように、Ｌ型同軸コネクタ１００をレセプタクル２３０の上側にセットし、該Ｌ型同軸コネクタ１００を下側に押さえつける。これにより、図１（ｂ）に示すように、外部導体２３２が上側からハウジング１１２に挿入される。そして、ハウジング１１２の内周面と外部導体２３２の外周面とが接触し、同軸ケーブル２２０の外導体２２２とレセプタクル２３０の外部導体２３２とがハウジング１１２を介して電気的に接続されるようになる。この際、ハウジング１１２は、外部導体２３２により押し広げられる。これにより、ハウジング１１２の内周面が、外部導体２３２の外周面に圧接するようになり、Ｌ型同軸コネクタ１００がレセプタクル２３０から容易に外れることが防止されている。
【００２０】
また、外部導体２３２がハウジング１１２に挿入されると同時に、図１（ｂ）に示すように、中心導体２３４がソケット１１６に挿入される。これにより、中心導体２３４の外周面とソケット１１６の内周面とが接触し、同軸ケーブル２２０の中心導体２２４とレセプタクル２３０の中心導体２３４とがソケット１１６を介して電気的に接続されるようになる。
【００２１】
一方、Ｌ型同軸コネクタ１００をレセプタクル２３０から取り外す際には、図１（ｂ）に示す状態において、Ｌ型同軸コネクタ１００を上側に引き上げる。これにより、図１（ａ）に示すように、Ｌ型同軸コネクタ１００がレセプタクル２３０から取り外される。
【００２２】
（第１の実施形態）
以下に、第１の実施形態に係る治具１０ａについて図面を参照しながら説明する。治具１０ａは、Ｌ型同軸コネクタ１００のレセプタクル２３０に対する取り付け及び取り外しの際に用いられる。図２は、実施形態に係る治具１０ａ〜１０ｃを示した図である。図３は、第１の実施形態に係る治具１０ａの先端部１４の斜視図である。図４は、図２に示す治具１０ａの先端部１４の分解斜視図である。図５は、治具１０ａを構成している第２部材１８の斜視図である。なお、以下では、鉛直方向を上下方向と定義し、水平方向を前後方向と定義する。上下方向と前後方向とは直交している。
【００２３】
治具１０ａは、図２に示すように、グリップ１２及び先端部（本体）１４を備えている。グリップ１２は、例えば、樹脂により作製され、Ｌ型同軸コネクタ１００のレセプタクル２３０に対する取り付け及び取り外しの際に、ユーザにより保持される部分である。先端部１４は、グリップ１２の下側に取り付けられ、金属（例えば、ステンレス）が切削加工等されることにより作製される。
【００２４】
次に、図３及び図４を参照しながら先端部１４の詳細について説明する。先端部１４は、図３及び図４に示すように、第１部材１６、第２部材１８及びピン２０により構成されており、グリップ１２に対して着脱可能である。更に、先端部１４は、ばね（弾性体）２２及びピン（押圧部材）２４を内蔵している。
【００２５】
第１部材１６は、板状部１６ａ及び折り返し部１６ｂ，１６ｃにより構成されている。板状部１６ａは、上下方向に長手方向を有する長方形状の板である。板状部１６ａには、孔ｈ２が設けられている。折り返し部１６ｂ，１６ｃはそれぞれ、板状部１６ａの下側の短辺の両端から下側に突出し、更に、前側に向かってＬ字型に折り返されることにより構成されている。折り返し部１６ｂ，１６ｃは、図４に示すように、上下方向及び前後方向に直交する方向において、間隔Ｗ２を空けた状態で設けられている。これにより、板状部１６ａ及び折り返し部１６ｂ，１６ｃは、前側から平面視したときに、コ字型をなしている。
【００２６】
第２部材１８は、板状部１８ａ及び突出部１８ｂ，１８ｃにより構成されている。板状部１８ａは、上下方向に長手方向を有する長方形状の板である。板状部１８ａには、孔ｈ１が設けられている。突出部１８ｂ，１８ｃはそれぞれ、板状部１８ａの下側の短辺の両端から下側に突出している。突出部１８ｂ，１８ｃは、図４に示すように、上下方向及び前後方向に直交する方向において、間隔Ｗ２よりも大きな間隔Ｗ１を空けた状態で設けられている。これにより、板状部１８ａ及び突出部１８ｂ，１８ｃは、前側から平面視したときに、コ字型をなしている。
【００２７】
また、板状部１８ａの後側の主面には、図５（ａ）に示すように、上下方向に延在する溝Ｇ１が設けられている。そして、溝Ｇ１の下端には、孔ｈ３が設けられている。孔ｈ３は、溝Ｇ１の下端と板状部１８ａの下端とを貫通するように設けられている。
【００２８】
ばね２２及びピン２４は、図５（ｂ）に示すように、溝Ｇ１内に収納される。より詳細には、ピン２４は、上部２４ａ，中部２４ｂ及び下部２４ｃを有している。上部２４ａは、ばね２２の内径よりも細く形成されており、図５（ｂ）に示すように、ばね２２の下側に挿入される。中部２４ｂは、ばね２２の内径よりも太く形成されており、上部２４ａがばね２２に挿入されたときに、ばね２２により下側に押さえつけられる部分である。下部２４ｃは、孔ｈ３よりも細くかつ長く形成されており、孔ｈ３に挿入される。この際、下部２４ｃの先端は、孔ｈ３より僅かに突出する。また、下部２４ｃの先端は、曲面形状（例えば、球状）に加工されている。
【００２９】
ばね２２及びピン２４が溝Ｇ１内に収納された第２部材１８は、第１部材１６に対してピン２０により取り付けられる。具体的には、孔ｈ１，ｈ２が一致するように、第１部材１６と第２部材１８とを重ねる。このとき、突出部１８ｂ，１８ｃの先端はそれぞれ、図３に示すように、折り返し部１６ｂ，１６ｃに接触している。また、板状部１６ａ，１８ａは、前側から平面視したときに一致している。そして、ピン２０を孔ｈ１，ｈ２に挿入することにより、第１部材１６と第２部材１８とを固定する。これにより、図３に示す先端部１４が完成する。なお、ピン２０の代わりにねじが用いられてもよい。
【００３０】
ここで、先端部１４の先端近傍の構成についてより詳細に説明する。図６は、先端部１４の先端近傍を前側から平面視した図である。
【００３１】
先端部１４の先端近傍には、図６に示すように、Ｌ型同軸コネクタ１００を収納するための収納空間ＳＰが設けられている。具体的には、先端部１４の先端近傍には、板状部１６ａ，１８ａ（板状部１６ａは、板状部１８ａと重なっているので図示せず）の下端と、折り返し部１６ｂ，１６ｃと、突出部１８ｂ，１８ｃとに囲まれた収納空間ＳＰが形成されている。板状部１６ａ，１８ａの下端は、収納空間ＳＰの上面Ｓ１を構成している。また、収納空間ＳＰには、前側に開口Ｏ１が形成され、後側に開口Ｏ２が形成され、下側に開口Ｏ３が形成されている。
【００３２】
ここで、突出部１８ｂと突出部１８ｃとの間隔Ｗ１は、折り返し部１６ｂと折り返し部１６ｃとの間隔Ｗ２よりも大きい。よって、開口Ｏ１は、図６に示すように、開口Ｏ２よりも広い面積を有している。更に、間隔Ｗ１が間隔Ｗ２よりも大きいので、折り返し部１６ｂ，１６ｃはそれぞれ、収納空間ＳＰに向かって突出部１８ｂ，１８ｃから突出している。これにより、突出部１８ｂ，１８ｃにおいて、折り返し部１６ｂ，１６ｃから突出している部分の上面は、収納空間ＳＰの下面Ｓ２を構成している。更に、折り返し部１６ｂと折り返し部１６ｃとの間には、開口Ｏ３が形成されている。
【００３３】
次に、Ｌ型同軸コネクタ１００のレセプタクル２３０に対する取り付け及び取り外しについて説明する。図７は、Ｌ型同軸コネクタ１００が治具１０ａに取り付けられた状態を示した外観斜視図である。図８は、Ｌ型同軸コネクタ１００が取り付けられた状態における先端部１４の先端近傍を前側から平面視した図である。
【００３４】
まず、Ｌ型同軸コネクタ１００のレセプタクル２３０に対する取り外しについて説明する。図７（ａ）において、Ｌ型同軸コネクタ１００は、レセプタクル２３０に取り付けられているものとする。ただし、図７（ａ）では、レセプタクル２３０は記載されていない。
【００３５】
ユーザは、図７（ａ）の点線に示すように、同軸ケーブル２２０が収納空間ＳＰを前後方向に通過するように、治具１０ａをセットする。次に、ユーザは、該治具１０ａを前側にスライドさせる。これにより、Ｌ型同軸コネクタ１００は、図７（ａ）に示すように、開口Ｏ１を介して、収納空間ＳＰ内に入る（収納される）。ここで、図６に示すように、間隔Ｗ１は間隔Ｗ２よりも大きいので、開口Ｏ１は開口Ｏ２よりも大きい。そのため、Ｌ型同軸コネクタ１００は、開口Ｏ２を通過できず、折り返し部１６ｂ，１６ｃに引っ掛かる。これにより、治具１０ａが停止する。
【００３６】
ここで、Ｌ型同軸コネクタ１００のハウジング１１２は、図８に示すように、前側から平面視したときに、円筒部１１２ａ及び張り出し部１１２ｂ，１１２ｃにより構成されている。円筒部１１２ａは、円筒形状をなしており、外部導体２３２が挿入される部分である。張り出し部１１２ｂ，１１２ｃは、上下方向及び前後方向に直交する方向に円筒部１１２ａから突出すると共に、下側に折り返されて構成された部分である。
【００３７】
円筒部１１２ａの下側は、開口Ｏ３を介して収納空間ＳＰから外部に露出している。一方、円筒部１１２ａの上側には、ピン２４が接触している。ピン２４は、ばね２２の弾性力により、下側に付勢されている。そのため、ピン２４は、Ｌ型同軸コネクタ１００を下側に押し付けている。その結果、張り出し部１１２ｂ，１１２ｃは、下面（内周面）Ｓ２に押し付けられている。これにより、Ｌ型同軸コネクタ１００は、治具１０ａにより保持される。
【００３８】
次に、ユーザは、治具１０ａを上側に引き上げる。この際、下面Ｓ２が張り出し部１１２ｂ，１１２ｃを上側に押し上げる。これにより、Ｌ型同軸コネクタ１００は、引き上げられて、レセプタクル２３０から取り外される。Ｌ型同軸コネクタ１００がレセプタクル２３０から取り外された後も、前記の通り、ピン２４が、ばね２２の弾性力により、Ｌ型同軸コネクタ１００を下面Ｓ２に押し付けているので、Ｌ型同軸コネクタ１００は、治具１０ａから容易に外れることはない。この後、ユーザは、同軸ケーブル２２０を前側に押し出す。これにより、Ｌ型同軸コネクタ１００は、開口Ｏ１を介して、収納空間ＳＰ外に出る。
【００３９】
次に、Ｌ型同軸コネクタ１００のレセプタクル２３０に対する取り付けについて説明する。以下では、図７（ａ）において、Ｌ型同軸コネクタ１００は、レセプタクル２３０に取り付けられていないものとする。
【００４０】
まず、ユーザは、図７（ａ）の点線に示すように、同軸ケーブル２２０が収納空間ＳＰを前後方向に通過するように、治具１０ａをセットする。次に、ユーザは、該治具１０ａを前側にスライドさせる。これにより、Ｌ型同軸コネクタ１００は、図７（ａ）に示すように、開口Ｏ１を介して、収納空間ＳＰ内に入る（収納される）。なお、治具１０ａを前側にスライドさせるのではなく、同軸ケーブル２２０を後側に引いてもよい。このとき、図８に示すように、ピン２４が、ばね２２の弾性力により、Ｌ型同軸コネクタ１００を下面Ｓ２に押し付けているので、Ｌ型同軸コネクタ１００は、治具１０ａから容易に外れることはない。
【００４１】
次に、ユーザは、Ｌ型同軸コネクタ１００をレセプタクル２３０の上側にセットし、Ｌ型同軸コネクタ１００をレセプタクル２３０に対して、押さえつける。この際、レセプタクル２３０からの反力により、ピン２４は、円筒部１１２ａの上面に押されて板状部１８ａ内に引っ込む。その結果、円筒部１１２ａの上面は、上面Ｓ１に接触する。
【００４２】
ユーザは、治具１０ａを更に下側に押し付ける。これにより、上面Ｓ１がＬ型同軸コネクタ１００を下側に押さえつける。その結果、Ｌ型同軸コネクタ１００がレセプタクル２３０に取り付けられる。この後、ユーザは、治具１０ａを後側に引く。これにより、Ｌ型同軸コネクタ１００は、開口Ｏ１を介して、収納空間ＳＰ外に出る。
【００４３】
なお、上記説明では、図７（ａ）に示すように、同軸ケーブル２２０がＬ型同軸コネクタ１００の後側に延在している状態で、後側から治具１０ａを取り付けるものとした。しかしながら、図７（ｂ）に示すように、同軸ケーブル２２０がＬ型同軸コネクタ１００の前側に延在している状態で、後側から治具１０ａを取り付けてもよい。
【００４４】
（効果）
以上のように構成された治具１０ａによれば、以下に説明するように、Ｌ型同軸コネクタ１００がＬ型同軸コネクタ１０ａから容易に外れることを抑制できる。より詳細には、図１３の特許文献１に記載のコネクタ挿抜用治具５００では、凹部５０４には、ケーブル側コネクタ６００が収納されるので、該凹部５０４は、該ケーブル側コネクタ６００よりも大きく形成される必要がある。そのため、コネクタ挿抜用治具５００とケーブル側コネクタ６００との間にガタツキが発生するおそれがある。その結果、ケーブル側コネクタ６００がコネクタ挿抜用治具５００から容易に外れてしまうおそれがある。
【００４５】
そこで、治具１０ａでは、ピン２４及びばね２２を用いて、収納空間ＳＰの内周面にＬ型同軸コネクタ１００を押さえつけている。より詳細には、ピン２４は、ばね２２により付勢されている。よって、図８に示すように、収納空間ＳＰ内にＬ型同軸コネクタ１００が収納されると、Ｌ型同軸コネクタ１００の円筒部１１２ａの上面がピン２４によって下側に押さえつけられるようになる。そのため、Ｌ型同軸コネクタ１００は、ピン２４及び下面Ｓ２により挟まれるように保持される。その結果、Ｌ型同軸コネクタ１００が治具１０ａから容易に外れることが抑制される。
【００４６】
更に、治具１０ａでは、以下に説明するように、収納空間ＳＰの形成時の加工精度を比較的低くすることができる。より詳細には、特許文献１に記載のコネクタ挿抜用治具５００では、ケーブル側コネクタ６００は、凹部５０４の内周面との接触のみでケーブル側コネクタ６００を保持している。よって、コネクタ挿抜用治具５００からケーブル側コネクタ６００が容易に外れないようにするためには、ケーブル側コネクタ６００が凹部５０４の内周面に隙間なく接触するように、凹部５０４を高精度で加工する必要がある。
【００４７】
一方、治具１０ａは、ピン２４と下面Ｓ２とによってＬ型同軸コネクタ１００を保持している。ピン２４は、ばね２２により付勢されているので、上下方向に動くことができる。よって、Ｌ型同軸コネクタ１００を保持していない状態（図６参照）において、ピン２４と下面Ｓ２との間隔を、折り返し部１１２ｂ，１１２ｃの上下方向の幅よりも僅かに小さく設定すればよい。これにより、治具１０ａがＬ型同軸コネクタ１００を保持した場合には、ピン２４がＬ型同軸コネクタ１００によって押されて退避する。そして、Ｌ型同軸コネクタ１００は、ピン２４と下面Ｓ２とにより保持されるようになる。よって、治具１０ａでは、上面Ｓ１と下面Ｓ２との間隔を高精度に設定する必要がなくなる。その結果、治具１０ａでは、収納空間ＳＰの形成時の加工精度を比較的低くすることができる。
【００４８】
また、治具１０ａでは、以下に説明するように、Ｌ型同軸コネクタ１００を治具１０ａに容易に取り付けることが可能である。より詳細には、Ｌ型同軸コネクタ１００を治具１０ａに取り付ける際には、図７（ａ）に示すように、ユーザは、同軸ケーブル２２０が収納空間ＳＰを前後方向に通過するように、治具１０ａをセットする。次に、ユーザは、該治具１０ａを前側にスライドさせる。これにより、収納空間ＳＰ内にＬ型同軸コネクタ１００が収納される。この際、Ｌ型同軸コネクタ１００の円筒部１１２ａの上面は、ピン２４と摺接する。故に、ピン２４は、角を有する形状であると、円筒部１１２ａの上面にて引っ掛かってしまうおそれがある。その結果、治具１０ａにＬ型同軸コネクタ１００を円滑に取り付けることができないおそれがある。
【００４９】
そこで、治具１０ａでは、ピン２４の先端は、球面に加工されている。これにより、円筒部１１２ａの上面にてピン２４が引っ掛かることが抑制される。その結果、Ｌ型同軸コネクタ１００を治具１０ａに容易に取り付けることが可能となる。
【００５０】
なお、治具１０ａにおいて、ばね２２及びピン２４の代わりに、これらを一体化したコンタクトプローブを適用してもよい。
【００５１】
（第２の実施形態）
以下に、第２の実施形態に係る治具１０ｂについて図面を参照しながら説明する。図９は、第２の実施形態に係る治具１０ｂの先端部１４の分解斜視図である。図１０は、治具１０ｂを構成している第２部材１８の斜視図である。
【００５２】
治具１０ａと治具１０ｂとの相違点は、治具１０ｂでは、ピン２４の代わりに、ボール（球体）２４'が用いられている点である。以下に、かかる相違点を中心に治具１０ｂについて説明する。
【００５３】
治具１０ｂの全体構成は、治具１０ａの全体構成と同じであり、図２に示される。また、治具１０ｂの先端部１４の外観は、治具１０ａの外観と同じであり、図３に示される。
【００５４】
先端部１４は、図９に示すように、第１部材１６、第２部材１８及びピン２０により構成されている。更に、先端部１４は、ばね（弾性部材）２２及びボール（押圧部材）２４'を内蔵している。治具１０ｂの第１部材１６、ピン２０及びばね２２については、治具１０ａの第１部材１６、ピン２０及びばね２２と同じであるので説明を省略する。
【００５５】
また、板状部１８ａの後側の主面には、図１０に示すように、上下方向に延在する溝Ｇ２が設けられている。そして、溝Ｇ２の下端には、孔ｈ３が設けられている。孔ｈ３は、溝Ｇ１の下端と板状部１８ａの下端とを貫通するように設けられている。ただし、治具１０ｂの孔ｈ３の上下方向の長さは、治具１０ａの孔ｈ３の上下方向の長さよりも短い。これは、ボール２４'の上下方向の長さが、ピン２４の上下方向の長さよりも短いためである。治具１０ｂのその他の構成については、治具１０ａと同じであるので、説明を省略する。
【００５６】
（効果）
治具１０ｂによれば、治具１０ａと同様に、Ｌ型同軸コネクタ１００が治具１０ａから容易に外れることを抑制できる。また、治具１０ｂでは、治具１０ａと同様に、収納空間ＳＰの形成時の加工精度が比較的低くてすむ。
【００５７】
また、治具１０ｂでは、ボール２４'は、全体が球状をなしているので、転がることができる。これにより、Ｌ型同軸コネクタ１００を治具１０ｂに治具１０ａよりも容易に取り付けることが可能となる。
【００５８】
なお、治具１０ｂにおいて、ばね２２及びボール２４'の代わりに、これらを一体化したボールプランジャーを適用してもよい。
【００５９】
（第３の実施形態）
以下に、第３の実施形態に係る治具１０ｃについて図面を参照しながら説明する。図１１は、第３の実施形態に係る治具１０ｃの先端部１４の分解斜視図である。図１２は、Ｌ型同軸コネクタ１００が治具１０ｃに取り付けられた状態を示した外観斜視図である。
【００６０】
治具１０ａと治具１０ｃとの相違点は、治具１０ｃでは、ばね２２及びピン２４の代わりに、板ばね３０が用いられている点である。以下に、かかる相違点を中心に治具１０ｃについて説明する。
【００６１】
先端部１４は、図１１に示すように、第１部材１６、第２部材１８、ピン２０、板ばね３０及びねじ３２により構成されている。治具１０ｃの第１部材１６及びピン２０については、治具１０ａの第１部材１６及びピン２０と同様であるので説明を省略する。
【００６２】
板ばね３０は、長方形状の金属板がＬ字型に折り曲げられて構成されている。具体的には、板ばね３０は、固定部３０ａ、折り曲げ部３０ｂ及び接触部３０ｃにより構成されている。固定部３０ａは、上下方向に延在しており、板状部１８ａの前側の主面に固定される。具体的には、固定部３０ａには、図１１に示すように孔ｈ４が設けられている。また、板状部１８ａの前側の主面には、孔ｈ５が設けられている。板ばね３０は、孔ｈ４と孔ｈ５とが一致するように第２部材１８にセットされ、ねじ３２が孔ｈ４，ｈ５に挿入されることにより、第２部材１８に固定される。
【００６３】
折り曲げ部３０ｂは、固定部３０ａの下端に位置し、板ばね３０が折り曲げられることにより形成された湾曲部分である。接触部３０ｃは、折り曲げ部３０ｂを介して、固定部３０ａに接続され、該固定部３０ａに対して鈍角をなしている。これにより、接触部３０ｃは、固定部３０ａから下側及び後側に向かって斜め方向に延在している。そして、板ばね３０が第２部材１８に固定された場合には、接触部３０ｃは、第１部材１６及び第２部材１８の下端の下側に回りこんでいる。なお、治具１０ｃのその他の構成は、治具１０ａのその他の構成と同じであるので説明を省略する。
【００６４】
以上のように構成された治具１０ｃでは、図１２に示すように、治具１０ａと同じ手順によりＬ型同軸コネクタ１００が取り付けられると、円筒部１１２ａの上側には、接触部３０ｃが接触する。接触部３０ｃは、折り曲げ部３０ｂの弾性力により、下側に付勢される。そのため、接触部３０ｃは、Ｌ型同軸コネクタ１００を下側に押し付ける。その結果、張り出し部１１２ｂ，１１２ｃは、下面Ｓ２に押し付けられる。これにより、Ｌ型同軸コネクタ１００は、治具１０ｃにより保持される。
【００６５】
（効果）
治具１０ｃによれば、治具１０ａと同様に、Ｌ型同軸コネクタ１００が治具１０ｃから容易に外れることを抑制できる。また、治具１０ｃでは、治具１０ａと同様に、収納空間ＳＰの形成時の加工精度が比較的低くてすむ。
【００６６】
なお、治具１０ｃにおいて、板ばね３０は、ねじ３２により第２部材１８に固定されているが、例えば、第２部材１８に設けられた溝に圧入されることにより、第２部材１８に固定されてもよい。
【産業上の利用可能性】
【００６７】
本発明は、治具に有用であり、特に、ケーブル側コネクタが容易に外れることを抑制できる点において優れている。
【符号の説明】
【００６８】
Ｏ１〜Ｏ３  開口
Ｓ１  上面
Ｓ２  下面
ＳＰ  収納空間
１０ａ〜１０ｃ  治具
１４  先端部
２２  ばね
２４  ピン
２４'  ボール
３０  板ばね
３０ａ  固定部
３０ｂ  折り曲げ部
３０ｃ  接触部
１００  Ｌ型同軸コネクタ
【図１】
2010267581.tif 000003
【図２】
2010267581.tif 000004
【図３】
2010267581.tif 000005
【図４】
2010267581.tif 000006
【図５】
2010267581.tif 000007
【図６】
2010267581.tif 000008
【図７】
2010267581.tif 000009
【図８】
2010267581.tif 000010
【図９】
2010267581.tif 000011
【図１０】
2010267581.tif 000012
【図１１】
2010267581.tif 000013
【図１２】
2010267581.tif 000014
【図１３】
2010267581.tif 000015